(57)【要約】【課題】従来の面戸瓦は、突起と切欠との重なりの範囲内で、働き寸法の調整に限定され、屋根勾配の変動に伴う広範囲の寸法調整には問題があり、耐震性には配慮されていない。【構成】本発明は、棧瓦の棧山から谷部にいたる曲面に整合する窪み部と、曲線裾部を有する面戸部と、この面戸部と他方の面戸部との間に形成され、一方端側を被嵌するように他方端側を搾った構成で、平面視して略方形状の台のし部とで構成される働き長さの調整範囲が大きい特徴をもつ棟、隅棟用面戸付き台のし瓦である。面戸部の両端が棧瓦の谷心に配置される構成で、隣接する台のし表面が同レヘ゛ルに葺設でき上層ののし瓦積みの土台となり、棟全体の施工性、安定性の向上に役立ち、耐震、耐風雨に優れた面戸付き台のし瓦を提供できる。【選択図】    図１
2004183234.tif 000002
【特許請求の範囲】
【請求項１】
棟、隅棟の長手方向に葺設された一方側・他方側の棧瓦の棧部に整合する一方・他方の窪み部と、この一方・他方の窪み部の左右に設けた一方側・他方側の第１の棧瓦、及び隣接する一方側・他方側の第２の棧瓦の谷面にそれぞれ整合する一方・他方の面戸部と、この一方側・他方側の各面戸部間に設けた台のし部とで構成した棟、隅棟用面戸付き台のし瓦であって、
この台のし瓦の他方端側に設けた葺合せ代を、前記一方・他方の面戸部をそれぞれ内方に折曲げた一方・他方の段付き縁部と、台のし瓦に設けた一段低い上面を有する被葺き合せ縁部とで構成し、この一方・他方の段付き縁部及び被葺き合せ縁部に、台のし瓦の一方端側が葺き合されることを特徴とした棟、隅棟用面戸付き台のし瓦。
【請求項２】
請求項１に記載の台のし瓦の一方端側の端面裏側に、葺き合せ寸法の調整を意図する切り詰めカットに便利な薄肉部を設けたことを特徴とする棟、隅棟用面戸付き台のし瓦。
【発明の詳細な説明】
【０００１】
【発明の属する技術分野】
この発明は、棟、隅棟用面戸付き台のし瓦に関する。
【０００２】
【従来の技術】
従来、面戸付き台のし瓦（面戸付き棟瓦）に関する技術としては、次に挙げるような文献があるので、以下に説明する。
【０００３】
文献（１）は、特開２０００−３２８７２２の面戸付のし瓦であり、内容は、長辺と短辺とでなる本体と、棧瓦の上面に対応した先端曲線形状を備えた面戸部とでなり、本体及び面戸部の一端面に設けた突部と、他端面に設けた突部を受け入れるための切欠部とを設けた構成であり、棧瓦の配列ヒ゜ッチのばらつきに対応し、面戸付きのし瓦相互間の隙間発生と、相互間の干渉回避を図ることを意図した面戸部付のし瓦である。
【０００４】
また文献（２）は、実用新案登録第３０６７６０３号の隅棟面戸瓦であり、隣接する隅棟面戸瓦の継ぎ目が棧瓦の棧峠部に配置される構成であり、内容は、隅棟面戸瓦の瓦本体の長手方向中心部に切条、また端面に削ぎ面を設け、その面戸の略曲面端部長手方向の一端に切欠き部、及び端縁にカット用の肉薄部を設け、この隅棟面戸瓦は、棧瓦葺き合わせ段差に合致し曲線形状に対応するカット仕上げの便を意図する隅棟面戸瓦である。
【０００５】
【発明が解決しようとする課題】
文献（１）は、突部と切欠との重なりの範囲内で、棟の妻方向の寸法調整を図る面戸付のし瓦であるが、配列ヒ゜ッチの調節範囲は、切欠と突部の重なり長さ分に限定され、棧瓦のきき幅寸法差、屋根の勾配変化に対応しきれない課題と、さらに本体の表面に、突条を形成しない構造であり、葺き土との馴染み手段がなく面戸瓦のス゛レ落ち防止が図れない課題とがある。
【０００６】
また文献（２）は、隅棟の棧瓦の表面曲線に接して葺設する面戸瓦ではあるが、形状を考えた場合、隅棟用に限定される虞がある。また棧瓦の棧部において、瓦本体を突合せ葺設する構成であるので、葺き合わせ有効長調節の問題、台のし部仕上げ面の平坦度、安定性確保が図れない課題と、さらに表、裏面にス゛レ止め手段がない課題とがある。
【０００７】
【課題を解決するための手段】
請求項１の発明は、台のし瓦の台のし部表面の他方端側に設けた被葺き合せ縁部と、他の台のし瓦の台のし部の一方端側とを被嵌する葺き合わせで、棟、隅棟の葺上げの耐震効果、耐風雨効果が確保できる棟、隅棟用面戸付き台のし瓦、また棧瓦の表面形状及び／又は葺き上げ形態に整合できる面戸部を備えた耐震効果、耐風雨効果が確保できる棟、隅棟用面戸付き台のし瓦、又はのし瓦積み上げ基盤の安定化、葺き合わせ調整代を広範囲で確保できる棟、隅棟用面戸付き台のし瓦、等を提供する。また漆喰、手間等を要さない棟、隅棟用面戸付き台のし瓦を提供する。
【０００８】
請求項１は、棟、隅棟の長手方向に葺設された一方側・他方側の棧瓦の棧部に整合する一方・他方の窪み部と、この一方・他方の窪み部の左右に設けた一方側・他方側の第１の棧瓦、及び隣接する一方側・他方側の第２の棧瓦の谷面にそれぞれ整合する一方・他方の面戸部と、この一方側・他方側の各面戸部間に設けた台のし部とで構成した棟、隅棟用面戸付き台のし瓦であって、
この台のし瓦の他方端側に設けた葺合せ代を、前記一方・他方の面戸部をそれぞれ内方に折曲げた一方・他方の段付き縁部と、台のし瓦に設けた一段低い上面を有する被葺き合せ縁部とで構成し、この一方・他方の段付き縁部及び被葺き合せ縁部に、台のし瓦の一方端側が葺き合されることを特徴とした棟、隅棟用面戸付き台のし瓦である。
【０００９】
請求項２の発明は、請求項１の目的を達成し、かつ葺き合せ寸法調整が図れる棟、隅棟用面戸付き台のし瓦を提供する。
【００１０】
請求項２は、請求項１に記載の台のし瓦の一方端側の端面裏側に、葺き合せ寸法の調整を意図する切り詰めカットに便利な薄肉部を設けたことを特徴とする棟、隅棟用面戸付き台のし瓦である。
【００１１】
【発明の実施の形態】
本発明の実施形態を説明すると、図１・２・３・４に示すように、棟の一方棟際（一方棟側）に葺設した第１の棧瓦と隣接する第２の棧瓦（第２の棧瓦とする）の上に、第１の棟用面戸付き台のし瓦（第１の棟用台のし瓦とする）の半截した一方棟側の一方・他方の面戸部（一方等面戸部とする）を整合し、この第１の棟用台のし瓦の台のし部表面が略水平状態を確保するように葺設する。この作業により、第１の棟用台のし瓦の台のし部を、安定用の葺き土を介し棟芯材に、確実かつ固着した状態で葺設できる。この際、第１の棟用台のし瓦の台のし部の一方側を、第１の棧瓦Ａの谷芯に配置し、この台のし部の他方側に設けた被葺き合せ縁部を有する台のし部の他方側を第２の棧瓦Ａ１の谷芯に配置する。そして、この台のし部の他方端側に設けた被葺き合せ縁部に重合葺設（被嵌）される第２の棟用面戸付き台のし瓦（第２の棟用台のし瓦とする）の一方側が、第２の棧瓦Ａ１の谷芯に配置されるように葺設する。従って、第１、第２の棟用台のし瓦相互の継ぎ目が第１、第２、第３の棧瓦Ａ、Ａ１、Ａ３の最も安定度が高い谷芯に衝止し、第１・第２の棟用台のし瓦の台のし部表面が略一線のレヘ゛ル（略同レヘ゛ルになり）を形成する。また第１の棟用台のし瓦は、上層に施工されるのし瓦の土台となり棟積みの基礎の役割を担う構成である。そして、この場合、棧瓦の棟際曲面と第１・第２の棟用台のし瓦の台のし部とで形成されるカマホ゛コ形空間を面戸部が塞ぎ、例えば、漆喰の塗込、仕上り等を省略して施工の簡略化と、保全性の向上とが図れること、又は棧瓦の表面に面戸部、窪み部等を略当接し、耐震、耐風雨性能の向上に役立つこと、等の効果がある。
【００１２】
この第１の棧瓦Ａの棧側端と第２の棧瓦Ａ１の袷側表面で形成される段差に、第１の台のし瓦の面戸部の切り上がり端面が衝止するとともに、第１の棧瓦の谷面に第１の棟用台のし瓦の面戸部が整合し、また第２の棧瓦の谷面に第２の棟用台のし瓦の面戸部が整合し、かつこの第２の棧瓦Ａ１の棧側端と第３の棧瓦Ａ−２の袷側表面で形成される段差に、該第２の台のし瓦の面戸部の切り上がり端面が衝止し、またこの第３の棧瓦Ａ−２の谷面に第３の台のし瓦の面戸部が整合する。この葺設等の作業と、平面視して他方端側に搾り部を有する方形状（略方形状とする）の第１の棟用台のし瓦の他方端側（被葺き合せ縁部）に、同形状の第２の棟用台のし瓦の一方端側の裏面が重合するように葺設することで、隣接する第２の棟用面戸付き台のし瓦の有効働き幅の調整が可能になる。尚、この有効働き幅は棟際の棧瓦Ａ等の割り付けきき幅寸法に対応するのが望ましく、台のし部表面の被葺き合せ縁部の長さ（他方端側の最端部から被葺き合せ縁部基部まで）の寸法範囲内に於ける一方端側の部分（一方端とする）と被葺き合せ縁部との重なり長さの調整で達成される。またこの有効働き幅の調整は、一方端側の薄肉片の切り詰める方法と、葺き合せ時に他方端の被葺き合せ縁部の基部と一方端との隙き間隔を伸縮（葺き合せ間隔の調整）する方法とが採用できる。即ち、▲１▼薄肉片の切り詰める方法と、▲２▼葺き合せ間隔調整方法とが採用でき、▲１▼、▲２▼の何れか、又は▲１▼、▲２▼の組み合せ等を介して働き長さの調整が、広範囲にできる利点がある。
【００１３】
尚、図５は重なり長さを、被葺き合せ縁部の有効長さの範囲内で調節可能な葺き合わせ状態を示し、また図６は平面視略方形状の搾り部及び／又はテーハ゜ー部を介して第１の棟用台のし瓦に第２の棟用台のし瓦を被嵌し、この第１の棟用台のし瓦と第２の棟用台のし瓦とを連設した状態を示す。
【００１４】
そして、第１の棟用台のし瓦に被嵌された第２の棟用台のし瓦の連接された表面は略同一レヘ゛ルに揃って（略フラットな表面を確保し）、この一例では（図１の例では、分割して左右に葺設した棟用台のし瓦の上層に）、大のし瓦及び／又はのし瓦が複数段積み重ね葺設された後、冠瓦（棟瓦）が葺設される。また前記第１の棟用台のし瓦の面戸部（他方端側）に設けた段付き縁部には、第２の棟用台のし瓦の面戸部（一方端側）が被嵌されるが、この第２の棟用台のし瓦の面戸部の肉厚は、前記段付き縁部に吸収される。従って、第１の棟用台のし瓦の面戸部のテーハ゜ー部を介して面戸部外側面は略々面一に形成される。
【００１５】
前記第１の棟用台のし瓦に第２の棟用台のし瓦を被嵌（連設）する構成を総括すると、第１の棟用台のし瓦の被葺き合せ部に第２の棟用台のし瓦の一方端側を被嵌し、この第１の棟用台のし瓦と第２の棟用台のし瓦とを連設することで、当該第１の棟用台のし瓦と第２の棟用台のし瓦の葺設時の幅及び／又は高さの略均等化を達成して美観の向上と、また第１の棟用台のし瓦に被嵌された第２の棟用台のし瓦の葺設時の幅及び／又は高さの一体化を達成して、耐震、耐風雨効果が図れる棟を構築できる。
【００１６】
尚、第１の棟用台のし瓦、第２の棟用台のし瓦等（各棟用面戸付き台のし瓦）の一方端側・他方端側の面戸部の継ぎ目（第１の棟用台のし瓦の被葺き合せ縁部に、第２の棟用台のし瓦の一方端側（裏面）を被嵌して形成された継ぎ目）は、第１の棧瓦〜第３の棧瓦等（各棧瓦）Ａ〜Ａ−２等の谷芯（棧瓦の葺設時に下地に密接し安定度が最良）に衝止し、各棟用面戸付き台のし瓦の面戸部に形成された窪みは各棧瓦Ａ等の棧部に整合する。尚、各棧瓦Ａ等の棧部と窪み部との間に、隙間（図示せず）を形成して、各棟用面戸付き台のし瓦の施工時に、仕上り面の安定性、平衡性、直線性を確保し棟積みの基礎として信頼度が高まること等に役立てることも可能である。
【００１７】
以後は、原則として、前記作業及び葺設等を、順次繰返することで、この一例の棟が構築される。そして、総合的な調整として、▲１▼▲２▼を介して働き長さの調整ができる。
【００１８】
本発明の他の実施形態を、図７にて説明する。この形態は軒先側から正面視して右側の隅棟（右隅棟とする）において、右隅棟際まで葺き詰められた複数の隅棟用棧瓦（略三角形にカットされた棧瓦を云う）の上に、隅棟芯に沿って隅棟用面戸付き台のし瓦を表面視して他方端側上方（棟方向）に向って左側の半截片（右隅棟用とする）を葺設する例である。
【００１９】
この場合第１の右隅棟用面戸付き台のし瓦（第１の右隅棟用台のし瓦）の他方側を棟方向に配し、面戸部の窪み部を第１の右隅棟用棧瓦の棧部に載置し、面戸部の切り上がり端面に棧瓦の棧側端を当接する。さらに、面戸部の一方端側が棧瓦の谷心に合致するように第１の右隅棟用面戸付き台のし瓦の有効長さを調整（後述）する。
【００２０】
次いで、この第１の右隅棟用台のし瓦の棟方向側に隣接し、次の第２の右隅棟用面戸付き台のし瓦（第２の右隅棟用台のし瓦とする）が隅棟芯に副って葺設される。この際第２の右隅棟用台のし瓦の一方端側が、第１の右隅棟用台のし瓦の被葺き合せ縁部に被さり、同時に第２の右隅棟用台のし瓦の一方側面戸部の一方端側に、第１の右隅棟用台のし瓦の段付き縁部の外側が嵌入される（重なり合い構成）。従って、第２の右隅棟用台のし瓦と第１の右隅棟用台のし瓦の葺設時の幅及び／又は高さの略均等化を達成して美観の向上と、また第１の右隅棟用台のし瓦に被嵌された第２の右隅棟用台のし瓦の葺設時の幅及び／又は高さの一体化を達成して、耐震、耐風雨効果が図れる隅棟を構築できる。前記重なり合い構成（重なり長さの伸縮）がそれぞれの右隅棟用台のし瓦の有効長の調整を可能とする。尚、第２の左隅棟用台のし瓦と、第１の左隅棟用台のし瓦の各構成は、前記第２の右隅棟用台のし瓦と、第１の右隅棟用台のし瓦とに準ずる。
【００２１】
またこの構成でそれぞれの右隅棟用台のし瓦の台のし部の連設表面は略フラットな表面を確保し、面戸部の重なりは、前述の例と同様に、葺合せと、テーハ゜ー部を介して幅及び／又は高さが略面一に形成される。また面戸部においても同様であり、それぞれ前述の例に準ずる。この場合、第２の右隅棟用台のし瓦の一方軒側を第２の右隅棟用棧瓦の谷芯に配置し、面戸部の窪み部を棧瓦の棧部に載置し、面戸部の切り上がり端面に棧瓦の棧側端を当接するこれまでの一連の葺設施工に際し、隅棟用面戸付き台のし瓦の面戸部窪み部と棧瓦棧部との間に若干の隙間（図示せず）を設ける（必要に応じ窪み部縁薄肉片を抉り調節する）ことにより、曲面構成の棧瓦にあって最も安定する（下地に密接）谷芯に面戸部の両端部（棟全体を担う脚部）が衝止し、各々の台のし部の表面は略フラットな表面を確保することと相俟って、上層に積まれるのし瓦（図１参照）の安定性の向上と、葺設の容易化等に役立つ利点がある。またのし部表裏面に設けた係止突起及び突条は、棟芯を形成する葺き土に喰い込み、隅棟用台のし瓦の外れ止めに有効で、棟全体の強化に寄与する。
【００２２】
更に屋根勾配の変化、棧瓦の葺設精度の差異、並びに隅棟用台のし瓦の焼成歪み等で夫々の隅棟用台のし瓦の有効長さ（葺き合わせ寸法）の調整、或いは面戸部下縁曲線端面形状の調整を必要とする場合には、隅棟用台のし瓦の一方端側及び面戸部略曲線裾部に設けた薄肉片を切り詰め、或いは削る、抉る等で対処する構成も可能である。
【００２３】
尚、図８にて示す実施の形態は、前述の右隅棟に対称となる左隅棟に、隅棟用台のし瓦の他方棟側を上方（棟方向）に表面視右側の半截片（左隅棟用）を使用した例である。
【００２４】
以上で連設された左右の隅棟用台のし瓦で構成された基盤（土台）上に、棟芯を形成する葺き土を介し、左右側にのし瓦を積層、葺設し、最上層に冠瓦を配置し棟芯状に固着し、この一例の隅棟の構築が完成する。そして、前述の前記作業及び葺設等を、順次繰返すことで、この一例の隅棟が構築される。
【００２５】
【実施例】
以下、本発明の一実施例を、一例を示した図面を参照して説明する。尚、対称関係となる部材は、要部の部材を除いて同じ符合及び名称を使用する。
【００２６】
図１〜図６に示す棟用面戸付き台のし瓦（棟用台のし瓦）について説明する。１は第１の棟用台のし瓦で、この第１の棟用台のし瓦１は棧瓦（例えば、第１の棧瓦Ａ）の棧部Ｂに整合する窪み部２００と、この第１の棟用台のし瓦１に隣接する少なくとも二枚の棧瓦（例えば、第１の棧瓦Ａ、第２の棧瓦Ａ１）の谷面（例えば、第１の棧瓦Ａ、第２の棧瓦Ａ１の谷面Ｃ、Ｃ−１）に整合する略曲線裾部２０１、２０２とを備えた一方の面戸部２と、一方の面戸部２に対峙し、かつ対称関係となる同構成の他方の面戸部２０と、この一方の面戸部２と他方の面戸部２０間に設けられた台のし部３とで構成されている。図中２０３は一方の面戸部２（他方の面戸部２０）の他方端側Ｚ部位を内方に折曲げ形成した段付き縁部を示す。また２０４は一方の面戸部２（他方の面戸部２０）の切り上がり端面を示す。尚、２０５は一方の面戸部２（他方の面戸部２０）の段付き縁部２０３の長手方向の内側に形成したテーハ゜ー部（テーハ゜ー形状）である。
【００２７】
そして、第１の棟用台のし瓦１（台のし部３）の一方妻側１ａ（一方側）の幅１００ａは、他方妻側１ｂの幅１００ｂより面戸部２（２０）の肉厚相当寸法分大きく構成されており、この台のし部３は平面視して略方形状を呈する。またこの他方妻側１ｂ（他方側）には、被葺き合せ縁部４が設けられている。但し、この被葺き合せ縁部４は、台のし部３の他方端側（Ｚ）の表面３ａから台のし部３の肉厚相当寸法分を一段下げて設ける。従って、第１の棟用台のし瓦１の被葺き合せ縁部４の表面４ａには、第２の棟用台のし瓦１−１の一方妻側１ａの裏面３ｂが重ね葺きされるとともに、第１の棟用台のし瓦１の一方（他方）の面戸部２（２０）の外側２ａ（２０ａ）に、第２の棟用台のし瓦１−１の一方（他方）の面戸部２−１（２０−１）の内側２ｂ−１（２０ｂ−１）が重ね葺きされる。従って、第１の棟用台のし瓦１の台のし部３の表面３ａは、第２の棟用台のし瓦１−１の台のし部３−１の表面３Ａ１とは略同レヘ゛ルＸになり、また第１の棟用台のし瓦１の一方（他方）の面戸部２（２０）の外側表面と、第２の棟用台のし瓦１−１の一方（他方）の面戸部２−１（２０−１）との間は略面一に形成される。そして、この第１の棟用台のし瓦１と第２の棟用台のし瓦１−１の一方（他方）の面戸部２−１（２０−１）の一方妻側１ａの側端１ｃは、第１、第２の棧瓦の谷心Ｄ、Ｄ１に配置される。図中４００は被葺き合せ縁部４の基部を示す。尚、この被葺き合せ縁部４を、台のし部３の表面３ａのみに設ける構成であり、第１の棟用台のし瓦１と、第２の棟用台のし瓦１−１との葺き合せ間より進入した雨水を、一方・他方の段付き縁部２０３を介し棧瓦の谷面Ｃ１に誘導し、雨仕舞の向上に役立つ特徴がある。
【００２８】
尚、５は薄肉部で、台のし部３の一方妻側１ａの一方端側（Ｚ−１）裏面３ｂを削いで設けられており、棟用台のし瓦１の葺き合せ寸法を調整（利き幅調整）を図るために、必要時カットする際の容易化に役立つ特徴がある（以下同じ）。図中６は台のし部３の表面３ａに設けた突条で、葺き土に喰い込み、棟用台のし瓦１の滑落防止に利用される。また台のし部３の裏面３ｂに半截用の切条７と、切条７の近傍に滑落防止用の係止突起８を対で設ける。尚、裏面３ｂには窪み部２００近傍に凹部９を形成し、棧部Ｂとの整合性向上に利用する。
【００２９】
図７〜図１２に示す隅棟用面戸付き台のし瓦（第１の隅棟用台のし瓦）について説明する。１０００は第１の隅棟用台のし瓦で、この第１の隅棟用台のし瓦１０００は棧瓦（例えば、第１の隅棟用棧瓦Ａ１）の棧部Ｂ１（Ｂ１−１）に整合する窪み部２０００００と、この第１の隅棟用台のし瓦１０００に隣接する少なくとも二枚の棧瓦（例えば、第１の隅棟用棧瓦Ａ１、第２の隅棟用棧瓦Ａ１−１）の谷面（例えば、第１の隅棟用棧瓦Ａ１、第２の隅棟用棧瓦Ａ１−１の谷面Ｃ１、Ｃ１−１）に整合する略曲線裾部２００００１、２００００２とを備えた一方の面戸部２０００と、この一方の面戸部２０００に対峙し、同構成の他方の面戸部２００００と、この一方の面戸部２０００と他方の面戸部２００００間に設けられた台のし部３０００とで構成されている。図中２００００３は一方の面戸部２０００（他方の面戸部２００００）の他方端側Ｚ部位を内方に折曲げ形成した段付き縁部を示す。また２００００４は一方の面戸部２０００（他方の面戸部２００００）の切り上がり端面を示す。尚、２００００５は一方の面戸部２０００（他方の面戸部２００００）の段付き縁部２０３の長手方向の内側に形成したテーハ゜ー部（テーハ゜ー形状）である。また図中Ｄ１は第１の隅棟用棧瓦Ａ１の谷心、Ｄ１−１は第２の隅棟用棧瓦Ａ１−１の谷心を示す。
【００３０】
そして、第１の隅棟用台のし瓦１０００（台のし部３０００）の一方軒側１０００ａ（一方側）の幅１０００００ａは、他方棟側１０００ｂ（他方側）の幅１０００００ｂより面戸部２０００（２００００）の肉厚相当寸法分大きく構成されており、この台のし部３０００は平面視して略方形状を呈する。またこの他方棟側１０００ｂには、被葺き合せ縁部４０００が設けられている。但し、この被葺き合せ縁部４０００は、台のし部３０００の他方端側（Ｚ）の表面３０００ａから台のし部３０００の肉厚相当寸法分を一段下げて設ける。従って、第１の隅棟用台のし瓦１０００の被葺き合せ縁部４０００の表面４０００ａには、第２の隅棟用台のし瓦１０００−１の一方軒側１０００ａの裏面３０００ｂが重ね葺きされるとともに、第１の隅棟用台のし瓦１０００の面戸部２０００（２００００）の外側２０００ａ（２００００ａ）に、第２の隅棟用台のし瓦１０００−１の面戸部２０００−１（２００００−１）の内側２０００ｂ−１（２００００ｂ−１）が重ね葺きされる。従って、第１の隅棟用台のし瓦１０００の台のし部３０００の表面３０００ａは、第２の隅棟用台のし瓦１０００−１の台のし部３０００−１の表面３０００Ａ１と略同レヘ゛ルＸ１になり、また第１の隅棟用台のし瓦１０００の面戸部２０００（２００００）の外側２０００ａ（２００００ａ）と、第２の隅棟用台のし瓦１０００−１の面戸部２０００−１（２００００−１）の外側２０００ａ（２００００ａ）とは略面一に形成される。そして、この第１の隅棟用台のし瓦１０００と第２の隅棟用台のし瓦１０００−１との重ね葺き箇所が、第２の隅棟用棧瓦Ａ１−１の谷面である。図中４０００００は被葺き合せ縁部４００の基部を示す。尚、この被葺き合せ縁部４００を、台のし部３０００の表面３０００ａのみに設ける構成であり、第１の隅棟用台のし瓦１０００と、第２の隅棟用台のし瓦１０００−１との葺き合せ間より進入した雨水を、一方・他方の段付き縁部２００００３を介し棧瓦の谷面Ｃ１に誘導し、雨仕舞の向上に役立つ特徴がある。
【００３１】
尚、５０００は薄肉部で、台のし部３０００の一方軒側１０００ａの一方端側（Ｚ−１）裏面３０００ｂを削いで設けられており、第１の隅棟用台のし瓦１０００の葺き合せ寸法（有効長さ）の調整を図るために、必要時カットする際の容易化に役立つ特徴がある。図中６０００は台のし部３０００の表面３０００ａに設けた突条で、葺き土の滑落防止と、のし瓦等の安定性の確保、更に潜入雨水の遡上防止等として利用される。また台のし部３０００の裏面３０００ｂに半截用の切条７０００と、切条７０００の近傍に葺き土、支持金具等に係止する係止突起８０００を対で設ける。尚、図中２０００ｃ（２００００ｃ）は、面戸部２０００（２００００）の下端に設けたカット用の薄肉片であり、この薄肉片２０００ｃ（２００００ｃ）を、適宜カットすることで、例えば、第１の隅棟用棧瓦Ａ１、第２の隅棟用棧瓦Ａ１−１の棧部Ｂ１（Ｂ１−１）又は谷面Ｃ１、Ｃ１−１等に整合する。尚、必要により裏面３０００ｂには窪み部２０００００近傍に凹部９０００を形成し、棧部Ｂ１との整合性の向上に利用する。
【００３２】
【発明の効果】
請求項１の発明は、棟、隅棟の長手方向に葺設された一方側・他方側の棧瓦の棧部に整合する一方・他方の窪み部と、一方・他方の窪み部の左右に設けた一方側・他方側の第１の棧瓦、及び隣接する一方側・他方側の第２の棧瓦の谷面にそれぞれ整合する一方・他方の面戸部と、一方側・他方側の各面戸部間に設けた台のし部とで構成した棟、隅棟用面戸付き台のし瓦であって、台のし瓦の他方端側に設けた葺合せ代を、一方・他方の面戸部をそれぞれ内方に折曲げた一方・他方の段付き縁部と、台のし瓦に設けた一段低い上面を有する被葺き合せ縁部とで構成し、一方・他方の段付き縁部及び被葺き合せ縁部に、台のし瓦の一方端側が葺き合されることを特徴とした棟、隅棟用面戸付き台のし瓦である。従って、台のし瓦の台のし部表面の他方端側に設けた被葺き合せ縁部と、他の台のし瓦の台のし部の一方端側とを被嵌する葺き合わせで、棟、隅棟の葺上げの耐震効果、耐風雨効果が確保できる棟、隅棟用面戸付き台のし瓦、また棧瓦の表面形状及び／又は葺き上げ形態に整合できる面戸部を備えた耐震効果、耐風雨効果が確保できる棟、隅棟用面戸付き台のし瓦、又はのし瓦積み上げ基盤の安定化、葺き合わせ調整代を広範囲で確保できる棟、隅棟用面戸付き台のし瓦、等を提供できる。また漆喰、手間等を要さない棟、隅棟用面戸付き台のし瓦を提供できる。
【００３３】
請求項２の発明は、請求項１に記載の台のし瓦の一方端側の端面裏側に、葺き合せ寸法の調整を意図する切り詰めカットに便利な薄肉部を設けたことを特徴とする棟、隅棟用面戸付き台のし瓦である。従って、請求項１の目的を達成し、かつ葺き合せ寸法調整が図れる棟、隅棟用面戸付き台のし瓦を提供できる。
【図面の簡単な説明】
【図１】本発明の棟用面戸付き台のし瓦使用の一例を示す断面模式図
【図２】図１の側面図
【図３】本発明の棟用面戸付き台のし瓦を示しており、分割前の表面斜視図
【図４】図３の裏面斜視図
【図５】図３の棟用面戸付き台のし瓦の連繋状態を示す側面図
【図６】図５の裏面図
【図７】本発明の隅棟用面戸付き台のし瓦使用の一例を示す一方側の側面図
【図８】本発明の隅棟用面戸付き台のし瓦使用の一例を示す他方側の側面図
【図９】本発明の隅棟用面戸付き台のし瓦を示しており、分割前の表面斜視図
【図１０】図９の裏面斜視図
【図１１】図９の隅棟用面戸付き台のし瓦の連繋状態を示す側面図
【図１２】図１１の裏面図
【符号の説明】
１            第１の棟用面戸付き台のし瓦
１ａ            一方妻側（一方側）
１ｂ            他方妻側（他方側）
１ｃ            側端
１−１          第２の棟用面戸付き台のし瓦
１００ａ          幅（広い）
１００ｂ          幅（狭い）
２            一方の面戸部
２−１          一方の面戸部
２ａ            外側
２ｂ−１          内側
２００          窪み部
２０１          略曲線裾部
２０２          略曲線裾部
２０３            段付き縁部
２０４            切り上がり端面
２０５            テーハ゜ー部
２０            他方の面戸部
２０−１          他方の面戸部
２０ａ          外側
２０ｂ−１        内側
３            台のし部
３ａ            表面
３ｂ            裏面
３−１          台のし部
３ａ−１          表面
４            被葺き合せ縁部
４ａ            表面
４００            基部
５            薄肉部
６            突条
７            半截用切条
８            係止突起
９            凹部
１０００          第１の隅棟用面戸付き台のし瓦
１０００ａ        一方軒側（一方側）
１０００ｂ        他方棟側（他方側）
１０００−１        第２の隅棟用面戸付き台のし瓦
１０００００ａ      幅（広い）
１０００００ｂ      幅（狭い）
２０００          一方の面戸部
２０００−１        一方の面戸部
２０００ａ        外側
２０００ｂ−１      内側
２０００ｃ        薄肉片
２０００００        窪み部
２００００１        略曲線裾部
２００００２        略曲線裾部
２００００３        段付き縁部
２００００４        切り上がり端面
２００００５        テーハ゜ー部
２００００        他方の面戸部
２００００−１      他方の面戸部
２００００ａ        外側
２００００ｂ−１      内側
２００００ｃ        薄肉片
３０００          台のし部
３０００ａ        表面
３０００ｂ        裏面
３０００−１        台のし部
３０００ａ−１      表面
４０００          被葺き合せ縁部
４０００ａ        表面
４０００００        基部
５０００          薄肉部
６０００          突条
７０００          半截用切条
８０００          係止突起
９０００          凹部
Ａ            第１の棧瓦
Ａ−１          第２の棧瓦
Ａ−２          第３の棧瓦
Ｂ            棧部
Ｃ            谷面
Ｃ−１          谷面
Ｄ            谷心
Ｄ−１          谷心
Ｘ            略同レヘ゛ル
Ｚ            他方端側
Ａ１            第１の隅棟用棧瓦
Ａ１−１          第２の隅棟用棧瓦
Ｂ１            棧部
Ｂ１−１          棧部
Ｃ１            谷面
Ｃ１−１          谷面
Ｄ１            谷心
Ｄ１−１          谷心
Ｘ１            略同レヘ゛ル
Ｚ−１          一方端側
【図１】
2004183234.tif 000003
【図２】
2004183234.tif 000004
【図３】
2004183234.tif 000005
【図４】
2004183234.tif 000006
【図５】
2004183234.tif 000007
【図６】
2004183234.tif 000008
【図７】
2004183234.tif 000009
【図８】
2004183234.tif 000010
【図９】
2004183234.tif 000011
【図１０】
2004183234.tif 000012
【図１１】
2004183234.tif 000013
【図１２】
2004183234.tif 000014